(57)【要約】【課題】窓の下枠の段差部を、少なくとも非常時に容易かつ迅速になくすことができる建物用の窓枠およびこれを備えた窓を提供する。【解決手段】建物に設けられる窓枠１０であって、床面６に設けた収納溝１８に上下動可能に配置される下枠２０と、下枠２０を上下動させる昇降手段２２とを備え、下枠２０が上動すると、床面６に下枠２０による段差部２４を形成する一方、下動すると、収納溝１８に収納されて床面６に下枠２０による段差部２４を形成しないようにする。【選択図】図１
2010127021.tif 000002
【特許請求の範囲】
【請求項１】
建物に設けられる窓枠であって、床面に設けた収納溝に上下動可能に配置される下枠と、前記下枠を上下動させる昇降手段とを備え、前記下枠が上動すると、前記床面に前記下枠による段差部を形成する一方、下動すると、前記収納溝に収納されて前記床面に前記下枠による段差部を形成しないことを特徴とする建物用の窓枠。
【請求項２】
前記昇降手段は、前記収納溝内に設けられ、空気の供給により膨張して前記下枠を上動させる一方、排出により収縮して前記下枠を下動させる可撓性袋体と、前記袋体内に空気を供給または排出する孔とを含んで構成されることを特徴とする請求項１に記載の建物用の窓枠。
【請求項３】
前記孔の開閉を操作する操作部を、立位姿勢にある操作者の手の届く位置に配置したことを特徴とする請求項２に記載の建物用の窓枠。
【請求項４】
請求項１〜３のいずれか一つに記載の建物用の窓枠と、この窓枠に装着した窓ガラスとを備えることを特徴とする窓。
【請求項５】
建物躯体に固定した上枠をさらに備え、前記下枠が下動すると、前記上枠と前記窓ガラスとの間に室内外を連通する火災時の排煙に供することができる開口を形成する一方、前記下枠は前記収納溝に収納されて前記床面に前記下枠による段差部を形成しないことを特徴とする請求項４に記載の窓。
【請求項６】
バルコニーと病室とを隔てて設置したことを特徴とする請求項４または請求項５に記載の窓。
【発明の詳細な説明】
【技術分野】
【０００１】
本発明は、建物用の窓枠およびこれを備えた窓に関し、特に火災などの非常時に、室内から室外に避難するのに適した建物用の窓枠およびこれを備えた窓に関する。
【背景技術】
【０００２】
従来、医療福祉施設である病院のような建物においては、病室（居室）の外にバルコニーを設けるのが一般的である（例えば、特許文献１〜３参照）。バルコニーは、外気に開放されており、火災時の煙が溜まることがない恒常的に安全な場所とされている。このため、病室からバルコニーに避難できれば、火災時の避難安全性は患者（居室者）にとって著しく向上することになる。
【０００３】
一方、病室や居室に設けるバリアフリー対応の窓に関して、例えば、特許文献４〜７の窓が知られている。
【０００４】
【特許文献１】特開平７−４０８３号公報
【特許文献２】特開平１０−２５９１２号公報
【特許文献３】特開平１０−２２００４１号公報
【特許文献４】特開２００４−３５３４３４号公報
【特許文献５】特開２００５−４２３２４号公報
【特許文献６】特開２００５−２３２７６４号公報
【特許文献７】特開２００５−２３２９５２号公報
【発明の開示】
【発明が解決しようとする課題】
【０００５】
ところで、図３に示すように、病室２（居室）とバルコニー４との間に設けた上枠１４と下枠２０と左右の縦枠１６と窓ガラス１２とからなる窓の下枠２０には、雨水や埃等の浸入を防止する目的から、床面６から上方にわずかに突き出た段差部２４が通常設けてある。この段差部２４は、車椅子やストレッチャーを利用する患者、松葉杖や介助を必要とする患者、さらには高齢者などの災害弱者が病室２からバルコニー４に避難する際の障害となることがある。例えば、出火室となった病室２から車椅子の患者がバルコニー４に避難する際に、段差部２４を乗り越えるために時間を費やし、緊急時の避難を迅速に行えないおそれがある。
【０００６】
他方、窓の下枠２０の段差部２４をなくしてバリアフリーにする方式も一部の行政規制で強制されている。しかし、こうした方式は、重要な機能である平常時の防水性を無視することになるため、不満の声も多く、現実的ではないといった問題がある。
【０００７】
本発明は、上記実情に鑑みてなされたものであり、窓の下枠の段差部を、少なくとも非常時に容易かつ迅速になくすことができる建物用の窓枠およびこれを備えた窓を提供することを目的とする。
【課題を解決するための手段】
【０００８】
上記の目的を達成するために、本発明の請求項１に係る建物用の窓枠は、建物に設けられる窓枠であって、床面に設けた収納溝に上下動可能に配置される下枠と、前記下枠を上下動させる昇降手段とを備え、前記下枠が上動すると、前記床面に前記下枠による段差部を形成する一方、下動すると、前記収納溝に収納されて前記床面に前記下枠による段差部を形成しないことを特徴とする。
【０００９】
また、本発明の請求項２に係る建物用の窓枠は、上述した請求項１において、前記昇降手段は、前記収納溝内に設けられ、空気の供給により膨張して前記下枠を上動させる一方、排出により収縮して前記下枠を下動させる可撓性袋体と、前記袋体内に空気を供給または排出する孔とを含んで構成されることを特徴とする。
【００１０】
また、本発明の請求項３に係る建物用の窓枠は、上述した請求項２において、前記孔の開閉を操作する操作部を、立位姿勢にある操作者の手の届く位置に配置したことを特徴とする。
【００１１】
また、本発明の請求項４に係る窓は、上述した請求項１〜３のいずれか一つに記載の建物用の窓枠と、この窓枠に装着した窓ガラスとを備えることを特徴とする。
【００１２】
また、本発明の請求項５に係る窓は、上述した請求項４において、建物躯体に固定した上枠をさらに備え、前記下枠が下動すると、前記上枠と前記窓ガラスとの間に室内外を連通する火災時の排煙に供することができる開口を形成する一方、前記下枠は前記収納溝に収納されて前記床面に前記下枠による段差部を形成しないことを特徴とする。
【００１３】
また、本発明の請求項６に係る窓は、上述した請求項４または請求項５において、バルコニーと病室とを隔てて設置したことを特徴とする。
【発明の効果】
【００１４】
本発明によれば、建物に設けられる窓枠であって、床面に設けた収納溝に上下動可能に配置される下枠と、前記下枠を上下動させる昇降手段とを備え、前記下枠が上動すると、前記床面に前記下枠による段差部を形成する一方、下動すると、前記収納溝に収納されて前記床面に前記下枠による段差部を形成しないので、少なくとも非常時に昇降手段で下枠を下動し収納溝に収納することで、段差部を容易かつ迅速になくすことができる。このため、居室外への避難を、段差部が常にある窓枠を通過する場合に比べて容易かつ迅速に行うことができる。
【発明を実施するための最良の形態】
【００１５】
以下に添付図面を参照しながら、本発明に係る建物用の窓枠およびこれを備えた窓の好適な実施の形態を病院の建物を例にとり詳細に説明する。図１は、本発明に係る建物用の窓枠およびこれを備えた窓の平常時における図であり、（ａ）は正面図、（ｂ）は（ａ）のＡ−Ａ線に沿った側断面図である。図２は、本発明に係る建物用の窓枠およびこれを備えた窓の火災時における図であり、（ａ）は正面図、（ｂ）は（ａ）のＡ−Ａ線に沿った側断面図である。
【００１６】
図１および図２に示すように、本発明に係る窓１００は、病室２とバルコニー４とを隔てて設置した掃き出し窓であり、本発明の建物用の窓枠１０と、窓枠１０に引違い状に装着した窓ガラス１２とを備える。
【００１７】
窓枠１０は、上枠１４および左右の縦枠１６と、床面６に設けた凹状の収納溝１８に上下動可能に配置した下枠２０と、下枠２０を上下動させる昇降手段としての上下移動装置２２とから構成される。下枠２０の上面には、上方に突き出る段差部２４が設けてある。
【００１８】
上下移動装置２２は、収納溝１８内に配置した可撓性袋体としてのゴム製チューブ２６と、このチューブ２６内に空気を出し入れする孔としての空気出入口２８とから構成される。チューブ２６は、空気出入口２８から空気を入れることによって膨らみ、空気を抜くことによって萎むことが可能な構造であり、平常時は空気を充填した状態にされ、火災時は空気を抜いた状態にされる。
【００１９】
チューブ２６は、下枠２０の下面と収納溝１８の底面に挟まれるようにして下枠２０の延在方向に配置してある。平常時においてチューブ２６内に空気を充填させると、チューブ２６は下枠２０を押し上げ、これにより下枠２０に設けた段差部２４は全て床面６より上に現れた状態となる。この場合、窓ガラス１２の上縁１２ａは、上枠１４に密着する。一方、火災時にチューブ２６から空気を抜くと、下枠２０は重力の作用で下方に移動し、これに伴って段差部２４と窓ガラス１２も下がる。段差部２４を収納溝１８に収納すると、上枠１４と窓ガラス上縁１２ａとの間に、室内外を連通する開口３０を作り出すことができ、この開口３０を排煙口のようにして病室２内の煙を外部に排出することが可能である。
【００２０】
空気出入口２８は、チューブ２６内に空気を入れるための孔であり、図示しない空気入れ等を連結することが可能な構造としてある。また、空気出入口２８に図示しない回転キャップを設けてもよく、この場合、火災時にこのキャップを回して外すことによって、チューブ２６から瞬時に空気を抜くことができる。こうした空気出入口２８は、病室２内の所望の位置に配置することが可能であるが、避難行動や空気を抜く操作を行い易いように、例えば立位姿勢にある操作者の手の届き易い窓１００のやや高い位置に設けるのが好ましい。こうすることで、火災時に看護師等が簡単かつ迅速に操作することができる。
【００２１】
なお、空気出入口２８とチューブ２６とを連通する空気連通管３２は、外部から見えないように、左右の縦枠１６などの窓枠１０内に配置することができる。また、上下移動装置２２のチューブ２６は、ゴム製であることから収納溝１８と良く密着し、平常時（空気充填時）には、水等の液体が浸入しにくい構造となっている。
【００２２】
窓枠１０は、窓ガラス１２と段差部２４の周囲を取り囲むように構成してある。上枠１４および下枠２０には、窓ガラス１２を左右に動かすための図示しない公知のレールが設けてあり、上枠１４におけるレールは、上下移動装置２２による下枠２０および窓ガラス１２の上下移動の際に窓ガラス１２が外れないように、窓ガラス１２と一体に上下する構造としてある。また、左右の縦枠１６にも図示しない公知のレールが設けてあり、これにより、窓ガラス１２と段差部２４と下枠２０とを真っ直ぐ上下に動かすことが可能となっている。なお、下枠２０の上下の移動が容易なように、左右の縦枠１６の下枠２０と接する箇所に図示しないローラー等を設けることも可能である。また、窓ガラス１２や段差部２４も下枠２０と同様に上下に移動するため、左右の縦枠１６と接するところにローラー等を設け、容易に上下動可能なようにしてもよい。
【００２３】
上記の本発明の構成を採用することにより、窓の下枠２０の段差部２４は、平常時には床面６上に現れて防水性等の機能を発揮する一方、火災時にはチューブ２６から空気を抜き段差部２４を床面６下に移動させることで、段差部２４を床面６上から容易かつ迅速になくすことができる。このため、病室からの患者の避難は、窓枠に段差部２４が常時ある場合に比べて極めて容易となる。なかでも、車椅子利用者等が看護師の助けを借りずに単独で避難可能である。また、ストレッチャーの移動や松葉杖を使う患者の避難もし易くなる。
【００２４】
これにより、人数が少なく、しかも作業項目が多い状況にある病院の看護師等にとって、患者の避難に関わる火災時の負担を大きく低減できる。したがって、病院の避難安全性が高まると同時に、病院の非常時管理体制が容易となる。
【００２５】
また、上下移動装置２２によって窓ガラス１２の上方に形成される開口３０は、火災時に排煙の用に供することができるのみならず、平常時における室内の換気にも活用することができる。この開口３０は高い位置に形成されるため、窓ガラス１２を開けて換気する通常の場合と異なり、窓ガラス１２を閉じた状態で行え、看護師等が目を離した隙に患者がバルコニー４に出てしまう心配がないという効果も期待することができる。
【００２６】
上記の実施形態においては、建物として病院の場合を例にとり説明したが、本発明の建物用の窓枠およびこれを備えた窓は、病院に限らず、福祉施設等の災害弱者を抱える施設などの建物にも適用可能であることは言うまでもない。
【００２７】
以上説明したように、本発明によれば、建物に設けられる窓枠であって、床面に設けた収納溝に上下動可能に配置される下枠と、下枠を上下動させる昇降手段とを備え、下枠が上動すると、床面に下枠による段差部を形成する一方、下動すると、収納溝に収納されて床面に下枠による段差部を形成しないので、少なくとも非常時に昇降手段で下枠を下動し収納溝に収納することで、段差部を容易かつ迅速になくすことができる。このため、居室外への避難を、段差部が常にある窓枠を通過する場合に比べて容易かつ迅速に行うことができる。
【図面の簡単な説明】
【００２８】
【図１】本発明に係る建物用の窓枠およびこれを備えた窓の平常時における一例を示す図であり、（ａ）は正面図、（ｂ）は（ａ）のＡ−Ａ線に沿った側断面図である。
【図２】本発明に係る建物用の窓枠およびこれを備えた窓の火災時における一例を示す図であり、（ａ）は正面図、（ｂ）は（ａ）のＡ−Ａ線に沿った側断面図である。
【図３】従来の建物用の窓枠およびこれを備えた窓の一例を示す図であり、（ａ）は正面図、（ｂ）は（ａ）のＡ−Ａ線に沿った側断面図である。
【符号の説明】
【００２９】
２  病室
４  バルコニー
６  床面
１０  建物用の窓枠
１２  窓ガラス
１４  上枠
１６  縦枠
１８  収納溝
２０  下枠
２２  上下移動装置
２４  段差部
２６  チューブ
２８  空気出入口
３０  開口
３２  空気連通管
１００  窓
【図１】
2010127021.tif 000003
【図２】
2010127021.tif 000004
【図３】
2010127021.tif 000005